(57)【要約】【課題】  ビデオインタフェースを調節して，高画質の映像をディスプレイする。【解決手段】  Ｒ，Ｇ，Ｂ成分の特性を示すＲＧＢ信号を発生するグラフィックチップセット１０と，グラフィックチップセット１０から出力されたＲＧＢ信号を外部ディスプレイ装置に出力する出力ポート２０を備え，グラフィックチップセット１０から発生したＲＧＢ信号をＥＭＩフィルターでフィルタリングして出力ポート２０に伝達するＥＭＩフィルター部３０と，グラフィックチップセット１０から出力されたＲＧＢ信号のレベルを所定のレベルに調整して出力ポート２０に伝達する画質改善部４０と，グラフィックチップセットの出力端をＥＭＩフィルター部３０と画質改善部４０の中でいずれか一つに選択的に連結する選択スイッチ部とを備える。【選択図】    図２
2005182792.tif 000002
【特許請求の範囲】
【請求項１】
Ｒ，Ｇ，Ｂ成分の特性を示すＲＧＢ信号を出力するグラフィックチップセットと，前記グラフィックチップセットから出力された前記ＲＧＢ信号とを，外部ディスプレイ装置に出力する出力ポートを有するコンピュータシステムにおいて，
前記グラフィックチップセットから出力された前記ＲＧＢ信号を，ＥＭＩフィルターでフィルタリングして，前記出力ポートに伝達するＥＭＩフィルター部と；
前記グラフィックチップセットから出力された前記ＲＧＢ信号のレベルを所定のレベルに調整して，前記出力ポートに伝達する画質改善部と；
前記グラフィックチップセットの出力端を，前記ＥＭＩフィルター部と前記画質改善部のうちいずれか一つに選択的に連結する選択スイッチ部と；
を備えることを特徴とする，コンピュータシステム。
【請求項２】
前記グラフィックチップセットから出力された前記ＲＧＢ信号のレベルを調節するためのレベル制御信号を出力する信号レベル選択部をさらに含み，
前記グラフィックチップセットは，前記レベル制御信号に基づいて，前記ＲＧＢ信号の出力レベルを調整するレベル調整部を備えることを特徴とする，請求項１に記載のコンピュータシステム。
【請求項３】
前記信号レベル選択部は，前記レベル調整部に連結される複数の調整抵抗と，前記調整抵抗のうちいずれか一つを前記レベル調整部に連結する抵抗選択部と，を備えることを特徴とする，請求項２に記載のコンピュータシステム。
【請求項４】
前記信号レベル選択部は，前記レベル調整部に連結される可変抵抗と，前記可変抵抗を調節するための抵抗調整部を備えることを特徴とする，請求項２に記載のコンピュータシステム。
【請求項５】
前記選択スイッチ部は，前記外部ディスプレイ装置の画質に従って，ユーザーによってスイッチされることを特徴とする，請求項１に記載のコンピュータシステム。
【請求項６】
前記選択スイッチ部は，前記外部ディスプレイ装置の画質に従って，ユーザーによってスイッチされることを特徴とする請求項２〜４のいずれかに記載のコンピュータシステム。
【発明の詳細な説明】
【技術分野】
【０００１】
本発明は，コンピュータシステムに係り，特に，ＲＧＢ信号をＥＭＩフィルターでフィルタリングして出力するビデオインタフェースを有するコンピュータシステムに関する。
【背景技術】
【０００２】
図１は，従来のコンピュータシステムのビデオインタフェースの概略的な回路図である。図１に示すように，ビデオインタフェースは，グラフィックチップセット１００，抵抗Ｒ１００，ＥＭＩフィルター１１０ａ〜１１０ｃ及び出力ポート１２０を有する。
【０００３】
グラフィックチップセット１００は，映像情報を処理する補助プロセッサーとして，ＤＡＣ（Ｄｉｇｉｔａｌ  Ａｎａｌｏｇ  Ｃｏｎｖｅｒｔｅｒ）入力端子及びＲ，Ｇ，Ｂ出力端子を有している。ＤＡＣ入力端子には，所定の抵抗Ｒ１００が連結されている。抵抗Ｒ１００は，グラフィックチップセット１００の規格（ＳＰＥＣ；Ｓｔａｎｄａｒｄ  Ｐｅｒｆｏｒｍａｎｃｅ  Ｅｖａｌｕａｔｉｏｎ  Ｃｏｒｐｏｒａｔｉｏｎ）に従って，ＲＧＢ出力信号のレベルを決定する。
【０００４】
Ｒ，Ｇ，Ｂ出力端子は，ディスプレイ装置のドットを構成するＲＧＢそれぞれの成分の大きさ等の特性を示すＲＧＢ信号を出力する。ＲＧＢ信号は，高解像度の映像を示すため高周波数を有する。このような高周波のＲＧＢ信号は，ＥＭＩ（ｅｌｅｃｔｒｏ  ｍａｇｎｅｔｉｃ  ｉｎｔｅｒｆｅｒｅｎｃｅ，電子波干渉）を強く発生させる。ビデオインタフェースは，ＲＧＢ信号をＥＭＩフィルターでフィルタリングしている。
【０００５】
ＥＭＩフィルター１１０ａ〜１１０ｃは，コンデンサーＣ１０ａ〜Ｃ３０ｃ及びインダクタＬ１０ａ〜Ｌ２０ｃの組合わせによって構成された２π形のフィルターである。ＥＭＩフィルターは，コンデンサー，インダクタ及びコンデンサーからなるπ形フィルター，インダクタ，コンデンサー及びインダクタから構成されるＴ形フィルター，コンデンサーだけで構成されるＣ形フィルター等の様々なフィルターに取り替えることができる。ＥＭＩフィルター１１０ａ〜１１０ｃは，ＲＧＢ信号の周波数に従って通過帯域及び遮断帯域が異にされ，そのフィルターの応答模様も異なるように構成することができる。
【０００６】
出力ポート１２０は，ＲＧＢ信号をＥＭＩフィルター１１０ａ〜１１０ｃから外部ディスプレイ装置に伝達する。
【発明の開示】
【発明が解決しようとする課題】
【０００７】
しかし，ＲＧＢ信号のＥＭＩフィルターは，グラフィックチップセット１００で発生したＲＧＢ信号の位相及び振幅を変形させる。これによって，ディスプレイされる映像の鮮明度等の画質が低下してしまうという問題があった。このような問題は，コンピュータシステムに使用されるディスプレイ装置の交替時に顕著に発生する。従来のコンピュータシステムのグラフィックチップセット１００には，抵抗Ｒ１００及びＥＭＩフィルター１１０ａ〜１１０ｃが固定的に連結されているので，ユーザーがビデオインタフェースの調節を通じて画質を改善することができなかった。また，ＥＭＩ及び信号レベルの両方を考慮して，ＥＭＩフィルターを構成し難いという問題もあった。
【０００８】
そこで，本発明はこのような問題に鑑みてなされたものであり，その目的とするところは，ビデオインタフェースを調節して高画質の映像がディスプレイされるようにするコンピュータシステムを提供することにある。
【課題を解決するための手段】
【０００９】
上記課題を解決するために，本発明の観点によれば，Ｒ，Ｇ，Ｂ成分の特性を示すＲＧＢ信号を発生するグラフィックチップセットと，グラフィックチップセットからのＲＧＢ信号を外部ディスプレイ装置に出力する出力ポートを有するコンピュータシステムにおいて，グラフィックチップセットで発生したＲＧＢ信号をＥＭＩフィルターして出力ポートに伝達するＥＭＩフィルター部と，グラフィックチップセットから出力されるＲＧＢ信号のレベルを所定のレベルに調整して出力ポートに伝達する画質改善部と，グラフィックチップセットの出力端をＥＭＩフィルター部と画質改善部の中でいずれか一つに選択的に連結する選択スイッチ部と，を含むことを特徴とする，コンピュータシステムが提供される。
【００１０】
また，グラフィックチップセットで発生するＲＧＢ信号のレベルを調節するためのレベル制御信号を出力する信号レベル選択部をさらに含み，グラフィックチップセットは，レベル制御信号に基づいてＲＧＢ信号の出力レベルを調整するレベル調整部と，を備えてもよい。これにより，画質変数をさらに多く有することができる。
【００１１】
また，信号レベル選択部は，レベル調整部に連結される複数の調整抵抗と，調整抵抗の中でいずれか一つをレベル調整部に連結する抵抗選択部と，を含んだり，レベル調整部に連結される可変抵抗と，可変抵抗を調節するための抵抗調整部を含んでもよい。
【００１２】
外部ディスプレイ装置の画質に従って，ユーザーにより選択スイッチ部のスイッチが選択されることにより，最善の画質を得ることが可能となる。
【発明の効果】
【００１３】
以上説明したように，本発明によれば，ディスプレイ装置及びＥＭＩフィルターの構成によらず，高画質の映像をディスプレイすることができる。
【００１４】
また，ビデオインタフェースを調節して，高画質の映像がディスプレイされるようにするコンピュータシステムを提供することができる。
【発明を実施するための最良の形態】
【００１５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１６】
図２は，本発明の第１実施形態にかかるコンピュータシステムのブロック図である。
【００１７】
図２に示すように，コンピュータシステムは，グラフィックチップセット１０，出力ポート２０，ディスプレイ装置２１，ＥＭＩフィルター部３０，画質改善部４０及び選択スイッチ部５０を有する。
【００１８】
グラフィックチップセット１０は，Ｒ，Ｇ，Ｂの各成分の特性を示すＲＧＢ信号と水平／垂直同期信号等を出力する。グラフィックチップセット１０は，メインボードに装着される場合もあるが，一般にグラフィックカードに装着される。
【００１９】
出力ポート２０は，グラフィックチップセット１０から発生した映像信号等をディスプレイ装置２１に出力する。出力ポート２０は，データのタイプに従ってアナログ用Ｄ−ｓｕｂ（Ｄ−Ｓｕｂｍｉｎｉａｔｕｒｅ）とデジタル用ＤＶＩ（Ｄｉｇｉｔａｌ  Ｖｉｓｕａｌ  Ｉｎｔｅｒｆａｃｅ）等がある。ディスプレイ装置２１のビデオ信号タイプにかかわらず映像信号を支援するため，最近のグラフィックカードは，アナログ用ポートとデジタル用ポートを共に有することが一般的である。
【００２０】
ＥＭＩフィルター部３０は，グラフィックチップセット１０から発生するＲＧＢ信号をフィルターし，ＥＭＩを減少させて出力ポート２０に伝達する。
【００２１】
画質改善部４０は，画質改善のためにグラフィックチップセット１０からのＲＧＢ信号を所定のレベルに調整して出力ポート２０に伝達する。画質改善部４０は，ＥＭＩフィルター部３０に比べてＲＧＢ信号の歪曲を最小にする回路素子を備える。グラフィックチップセット１０から出力されるＲＧＢ信号は，ＥＭＩフィルター部３０から出力される信号に比べてディスプレイ装置の鮮明度を高めるので，画質改善部４０は，出力信号レベルを少し低める抵抗等を備える。また，画質改善部４０は，特定ＲＧＢ信号の周波数によるインピーダンスを調節し，サージ電流を防止するためのインダクタを有するようにすることができる。
【００２２】
選択スイッチ部５０は，グラフィックチップセット１０の出力端をＥＭＩフィルター部３０と画質改善部４０の中でいずれか一つに選択的に連結して出力ポート２０に伝達するＲＧＢ信号の経路を選択するようにする。このような選択スイッチ部５０は，スイッチ素子で構成してもよい。
【００２３】
本実施形態にかかるコンピュータシステムを利用するユーザーは，装着されるディスプレイ装置２１による鮮明度等の画質の状態を点検して，選択スイッチ部５０を操作することができる。ディスプレイ装置２１の鮮明度が良くない場合に，ユーザーはグラフィックチップセット１０の出力端を画質改善部４０に連結してより良好な画質を得ることができる。
【００２４】
図３は，本発明の第２実施形態によるコンピュータシステムの構成ブロック図である。図３に示すように，コンピュータシステムは，グラフィックチップセット１０，出力ポート２０，ディスプレイ装置２１，ＥＭＩフィルター部３０，画質改善部４０，選択スイッチ部５０及び信号レベル選択部６０を有する。以下，上述した第１実施形態のコンピュータシステムと異なる構成及び制御方法の差異を中心として，第２実施形態のコンピュータシステムを説明する。
【００２５】
信号レベル選択部６０は，グラフィックチップセット１０で発生するＲＧＢ信号のレベルを調節するためのレベル制御信号を出力する。この時，レベル制御信号は，ＲＧＢ信号のレベルを選択することができる多様な状態の電気信号を含む。
【００２６】
グラフィックチップセット１０は，信号レベル選択部６０からレベル制御信号が入力されると，これに基づいてＲＧＢ信号の出力レベルを調整するレベル調整部１１を含んでいる。
【００２７】
ユーザーは，選択スイッチ部５０のスイッチによって最善の画質が得られなかった場合，信号レベル選択部６０を調節して適正なレベル制御信号をレベル調整部１１に出力する。ユーザーは，信号レベル選択部６０の操作を通じて，ディスプレイ装置２１が最善の画質を有するように調節することができる。
【００２８】
図４は，本発明の第２実施形態の具体的なコンピュータシステムのグラフィックカードの回路図である。グラフィックカードは，グラフィックチップセット１０，出力ポート２０，ＥＭＩフィルター部３０ａ〜３０ｃ，画質改善部４０ａ〜４０ｃ及び信号レベル選択部６０などを有する。
【００２９】
グラフィックチップセット１０は，ＲＧＢ信号をそれぞれ出力する出力端Ｒ，Ｇ，Ｂとレベル調整部１１の入力端子（ＤＡＣピン）を有しており，出力ポート２０としてはアナログ波形を出力する１５ピンＤ−ｓｕｂ（各ポート連結，図示せず）が使用されている。
【００３０】
ＥＭＩフィルター部３０ａ〜３０ｃは，コンデンサーＣ１ａ〜Ｃ３ｃ及びインダクタＬ１ａ〜Ｌ２ｃの組合せを有する２π形フィルターを有し，画質改善部４０ａ〜４０ｃは，サージ電流を遮断するインダクタＬ３ａ，Ｌ３ｂ，Ｌ３ｃを有している。選択スイッチ部５０は，Ｒ，Ｇ，Ｂ各出力端に一側が連結され，その他側はＥＭＩフィルター部３０または画質改善部４０に連結される三つのスイッチｓｗ５０ａ〜ｓｗ５０ｃを有する。
【００３１】
信号レベル選択部６０は，一側が接地端に連結され，他側がレベル調整部１１に連結され，異なる抵抗値を有する複数の調整抵抗Ｒ６０ａ〜Ｒ６０ｄと，調整抵抗Ｒ６０ａ〜Ｒ６０ｄの中でいずれか一つをレベル調整部１１に連結する抵抗選択部６１と構成されている。調整抵抗Ｒ６０ａ〜Ｒ６０ｄは，それぞれ所定の偏差を有する抵抗値を有し，抵抗選択部６１は，スイッチ素子を含んでいるのでユーザーが調整抵抗Ｒ６０ａ〜Ｒ６０ｄを選択することが可能となる。
【００３２】
ユーザーは，まず，選択スイッチ部５０のスイッチを操作して，ディスプレイ装置２１の画質を改善することができる。ユーザーが，選択スイッチ部５０のスイッチを通じて満足な画質を得られない場合，抵抗選択部６１のスイッチを通じてグラフィックチップセット１０に連結される調整抵抗Ｒ６０ａ〜Ｒ６０ｄを選択することができる。グラフィックチップセット１０のレベル調整部１１は，入力端子に連結される調整抵抗Ｒ６０ａ〜Ｒ６０ｄの大きさを感知し，これに基づいてＲＧＢ信号の出力レベルを調整する。従って，ユーザーは，抵抗選択部６１のスイッチを通じて最善の画質を選択することが可能となる。
【００３３】
グラフィックチップセット１０で出力されるＲＧＢ信号の信号レベル及びＲＧＢ信号の伝達経路を考慮して，調整抵抗Ｒ６０ａ〜Ｒ６０ｄの抵抗値を選択し，ユーザーが選択することができる抵抗を一定の偏差を有するようにすることができる。ここで，抵抗値は，初期設定抵抗値の＋／−２０％内の値を有する複数の抵抗で構成されることが好ましい。
【００３４】
また，信号レベル選択部６０は，調整抵抗Ｒ６０ａ〜Ｒ６０ｄを可変抵抗（図示せず）とし，可変抵抗を調節することができる抵抗調整部（図示せず）を有するようにすることができる。可変抵抗は，連続的に変化する抵抗値を得ることができるので，ＲＧＢ信号の出力レベルをさらに精密にユーザーが選択することができる。
【００３５】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３６】
本発明は，高画質の映像をディスプレイするコンピュータシステムに適用可能である。
【図面の簡単な説明】
【００３７】
【図１】従来のコンピュータシステムのビデオインタフェースの概略的な回路図である。
【図２】本発明の第１実施形態にかかるコンピュータシステムのブロック図である。
【図３】本発明の第２実施形態にかかるコンピュータシステムのブロック図である。
【図４】同実施の形態にかかるコンピュータシステムのグラフィックカードの回路図である。
【符号の説明】
【００３８】
１０      グラフィックチップセット
１１      レベル調整部
１２      出力調整部
２０      出力ポート
２１      ディスプレイ装置
３０      ＥＭＩフィルター部
３０ａ〜３０ｃ    ＥＭＩフィルター
４０      画質改善部
５０      選択スイッチ部
６０      信号レベル選択部
６１      抵抗選択部
Ｒ６０ａ〜Ｒ６０ｄ  調整抵抗
Ｃ１ａ〜Ｃ３ｃ  コンデンサー
Ｌ１ａ〜Ｌ３ｃ  インダクタ
１００    グラフィックチップセット
１２０    出力ポート
１１０ａ〜１１０ｃ  ＥＭＩフィルター
Ｒ１００  抵抗
【図１】
2005182792.tif 000003
【図２】
2005182792.tif 000004
【図３】
2005182792.tif 000005
【図４】
2005182792.tif 000006